(57)【要約】【課題】遊技機において、スピーカが破損する可能性を低減し、かつ、音割れを発生させることができる音信号出力回路を提供する。【解決手段】遊技機が備える音信号出力回路であって、音信号を出力する音信号出力部と、前記音信号を増幅し、増幅した後の増幅後音信号の振幅よりも自増幅部の出力する信号のダイナミックレンジを狭めて前記増幅後音信号を出力する増幅部と、前記ダイナミックレンジを狭める制御を行う制御部と、を備える音信号出力回路。【選択図】図６
2018143632.tif 000002
【特許請求の範囲】
【請求項１】
遊技機が備える音信号出力回路であって、
音信号を出力する音信号出力部と、
前記音信号を増幅し、増幅した後の増幅後音信号の振幅よりも自増幅部の出力する信号のダイナミックレンジを狭めて前記増幅後音信号を出力する増幅部と、
前記ダイナミックレンジを狭める制御を行う制御部と、
を備える音信号出力回路。
【請求項２】
前記増幅部は、
出力する前記増幅後音信号のダイナミックレンジを狭めるソフトクリップ機能を有し、
前記制御部は、
前記ソフトクリップ機能を制御することによって、前記ダイナミックレンジを、前記増幅後音信号の振幅よりも狭める、
請求項１に記載の音信号出力回路。
【請求項３】
前記制御部は、
前記増幅部に供給される電源電圧を低下させる制御を行うことによって、前記ダイナミックレンジを、前記増幅後音信号の振幅よりも狭める、
請求項１または請求項２に記載の音信号出力回路。
【請求項４】
前記制御部は、
前記遊技機における演出に応じて前記ダイナミックレンジを、前記増幅後音信号の振幅よりも狭めるタイミングを制御する、
請求項１から請求項３の何れか一項に記載の音信号出力回路。
【請求項５】
遊技機が備える音出力システムであって、
請求項１から請求項４の何れか一項に記載の音信号出力回路と、
前記音信号出力回路が狭めたダイナミックレンジを通過した前記音信号を前記音信号出力回路から受け、受けた前記音信号に応じた音を出力するスピーカと、
を備える音出力システム。
【請求項６】
遊技機に備えられ、音信号を出力する音信号出力部と、前記音信号を増幅し、増幅した後の増幅後音信号の振幅よりも自増幅部の出力する信号のダイナミックレンジを狭めて前記増幅後音信号を出力する増幅部とを備える音信号出力回路の制御方法であって、
前記ダイナミックレンジを狭める制御を行うこと、
を含む音信号出力回路の制御方法。
【請求項７】
遊技機に備えられ、音信号を出力する音信号出力部と、前記音信号を増幅し、増幅した後の増幅後音信号の振幅よりも自増幅部の出力する信号のダイナミックレンジを狭めて前記増幅後音信号を出力する増幅部とを備える音信号出力回路のコンピュータに、
前記ダイナミックレンジを狭め制御を行うこと、
を実行させるプログラム。
【発明の詳細な説明】
【技術分野】
【０００１】
本発明は、音信号出力回路、音出力システム、音信号出力回路の制御方法及びプログラムに関する。
【背景技術】
【０００２】
ぱちんこや回胴式遊技機などの遊技機では、さまざまな演出が施されている。
特許文献１には、関連する技術として、遊技機において、増幅手段の増幅率を調整して音割れを発生させる技術が開示されている。
【先行技術文献】
【特許文献】
【０００３】
【特許文献１】特開２０１５−０３９４４６号公報
【発明の概要】
【発明が解決しようとする課題】
【０００４】
ところで、特許文献１に記載の技術を用いて音割れを発生させる場合、増幅率によっては、スピーカの最大定格以上の信号振幅の音信号が、増幅手段からスピーカに送信される場合がある。最大定格以上の信号振幅の音信号がスピーカに入力される場合、スピーカが破損する可能性がある。
そのため、遊技機において、スピーカが破損する可能性を低減し、かつ、音割れを発生させることのできる技術が求められていた。
【０００５】
本発明は、上記の課題を解決することのできる音信号出力回路、音出力システム、音信号出力回路の制御方法及びプログラムを提供することを目的としている。
【課題を解決するための手段】
【０００６】
上記目的を達成するために、本発明は、遊技機が備える音信号出力回路であって、音信号を出力する音信号出力部と、前記音信号を増幅し、増幅した後の増幅後音信号の振幅よりも自増幅部の出力する信号のダイナミックレンジを狭めて前記増幅後音信号を出力する増幅部と、前記ダイナミックレンジを狭める制御を行う制御部と、を備える音信号出力回路である。
【０００７】
また、本発明は、遊技機が備える音出力システムであって、上記の音信号出力回路と、前記音信号出力回路が狭めたダイナミックレンジを通過した前記音信号を前記音信号出力回路から受け、受けた前記音信号に応じた音を出力するスピーカと、を備える音出力システムである。
【０００８】
また、本発明は、遊技機に備えられ、音信号を出力する音信号出力部と、前記音信号を増幅し、増幅した後の増幅後音信号の振幅よりも自増幅部の出力する信号のダイナミックレンジを狭めて前記増幅後音信号を出力する増幅部とを備える音信号出力回路の制御方法であって、前記ダイナミックレンジを狭める制御を行うこと、を含む音信号出力回路の制御方法である。
【０００９】
また、本発明は、遊技機に備えられ、音信号を出力する音信号出力部と、前記音信号を増幅し、増幅した後の増幅後音信号の振幅よりも自増幅部の出力する信号のダイナミックレンジを狭めて前記増幅後音信号を出力する増幅部とを備える音信号出力回路のコンピュータに、前記ダイナミックレンジを狭め制御を行うこと、を実行させるプログラムである。
【発明の効果】
【００１０】
本発明によれば、遊技機において、スピーカが破損する可能性を低減し、かつ、音割れを発生させることができる。
【図面の簡単な説明】
【００１１】
【図１】本発明の第１の実施形態による音出力システムの構成の一例を示す図である。
【図２】本発明の第１の実施形態による増幅部が出力する信号波形の例を示す図である。
【図３】本発明の第２の実施形態による音出力システムの構成の一例を示す図である。
【図４】本発明の第３の実施形態による音出力システムの構成の一例を示す図である。
【図５】本発明の第４の実施形態による音出力システムの構成の一例を示す図である。
【図６】本発明の実施形態による音信号出力回路の最小構成を示す図である。
【図７】少なくとも１つの実施形態に係るコンピュータの構成を示す概略ブロック図である。
【発明を実施するための形態】
【００１２】
＜第１の実施形態＞
本発明の第１の実施形態による音出力システム１について説明する。
なお、本発明の各実施形態による音出力システム１は、増幅器２０におけるダイナミックレンジを狭めることによって音割れを実現する例である。音割れとは、音信号の上限と下限がクリッピングし、高調波成分を含む音が発生することである。音割れは遊技機における演出の１つである。
【００１３】
本発明の第１の実施形態による音出力システム１は、図１に示すように、音信号出力回路２と、スピーカ３と、を備える。
音信号出力回路２は、音制御装置１０と、増幅器２０と、を備える。
【００１４】
音制御装置１０は、制御部１０１と、音信号出力部１０２と、を備える。
制御部１０１は、ソフトクリップ機能を有効にするか否かを指示するソフトクリップ指示信号を後述するソフトクリップ機能部２０１に出力する。ソフトクリップ機能とは、後述する増幅部２０２がスピーカ３に出力する出力信号の所定の上限値を上回るまたは下限値を下回る部分をカットし、出力信号を大きさを制限する機能である。例えば、制御部１０１は、音割れの演出を行わない場合に、ソフトクリップ機能が無効となるソフトクリップ指示信号をソフトクリップ機能部２０１に出力する。このとき、増幅部２０２が図２の（ａ）の部分に示す正弦波をスピーカ３に出力していたとする。ここで、制御部１０１は、音割れの演出を行う場合、ソフトクリップ機能が有効となるソフトクリップ指示信号をソフトクリップ機能部２０１に出力する。ソフトクリップ機能が有効になると、増幅部２０２は、図２の（ｂ）の部分に示すように、ダイナミックレンジが狭くなり、正弦波の上下がクリップした波形の信号をスピーカ３に出力する。このとき、増幅部２０２は、音信号の振幅がスピーカ３の最大定格以下の振幅で、かつ、正弦波の上下がクリップした音割れを発生させる音信号をスピーカ３に出力する。
【００１５】
音信号出力部１０２は、スピーカ３から音を出力させる音信号を増幅部２０２に出力する。音信号出力部１０２は、例えば、ＤＳＰ（Ｄｉｇｉｔａｌ  Ｓｉｇｎａｌ  Ｐｒｏｃｅｓｓｏｒ）である。
【００１６】
増幅器２０は、ソフトクリップ機能部２０１と、増幅部２０２と、を備える。
ソフトクリップ機能部２０１は、制御部１０１が出力するソフトクリップ指示信号を受ける。ソフトクリップ機能部２０１は、受けたソフトクリップ指示信号に基づいて増幅部２０２のダイナミックレンジを指示するダイナミックレンジ指示信号を増幅部２０２に出力する。
具体的には、例えば、ダイナミックレンジ指示信号は、ダイナミックレンジを最大にするか狭めるかを示す指示信号であるとする。ソフトクリップ機能部２０１は、制御部１０１からソフトクリップ機能を無効にするソフトクリップ指示信号を受けた場合、ダイナミックレンジを最大にするダイナミックレンジ指示信号を増幅部２０２に出力する。また、ソフトクリップ機能部２０１は、制御部１０１からソフトクリップ機能を有効にするソフトクリップ指示信号を受けた場合、ダイナミックレンジを狭まるダイナミックレンジ指示信号を増幅部２０２に出力する。
【００１７】
増幅部２０２は、音信号出力部１０２が出力する音信号を受ける。増幅部２０２は、受けた音信号を所定の振幅まで増幅する。この場合の所定の振幅とは、ダイナミックレンジを最大とした場合であっても、スピーカ３に破損などの不具合を発生させない振幅である。増幅部２０２は、所定の振幅まで増幅した増幅後音信号をスピーカ３に出力する。このとき、増幅部２０２は、ソフトクリップ機能部２０１から受けるダイナミックレンジ指示信号に従ったダイナミックレンジで音信号をスピーカ３に出力する。
具体的には、増幅部２０２は、ソフトクリップ機能部２０１からダイナミックレンジを最大にするダイナミックレンジ指示信号を受けた場合、受けたダイナミックレンジ指示信号に応じて自増幅部２０２の最大のダイナミックレンジで増幅後音信号をスピーカ３に出力する。また、増幅部２０２は、ソフトクリップ機能部２０１からダイナミックレンジを狭めるダイナミックレンジ指示信号を受けた場合、受けたダイナミックレンジ指示信号に応じて自増幅部２０２のダイナミックレンジを所定のダイナミックレンジまで狭めて増幅後音信号をスピーカ３に出力する。なお、ここでの所定のダイナミックレンジとは、増幅部２０２が所定の振幅まで増幅した増幅後音信号の振幅よりも狭いダイナミックレンジであり、増幅部２０２がスピーカ３に出力する音信号に音割れを発生させる、すなわち、音信号の上下がクリップする程度に狭いダイナミックレンジである。
増幅部２０２は、スピーカ３に音信号を出力する。
【００１８】
スピーカ３は、増幅部２０２から音信号を受ける。スピーカ３は、受けた音信号に応じた音を出力する。
【００１９】
以上、本発明の第１の実施形態による音出力システム１について説明した。
本発明の第１の実施形態による音出力システム１における音信号出力回路２は、遊技機が備える音信号出力回路である。音信号出力回路２は、音信号出力部１０２と、増幅部２０２と、制御部１０１と、を備える。音信号出力部１０２は、増幅部２０２に音信号を出力する。増幅部２０２は、音信号を増幅する。制御部１０１は、増幅部２０２の出力する信号のダイナミックレンジを、増幅部２０２が音信号を増幅した後の増幅後音信号の振幅よりも狭める。例えば、制御部１０１は、増幅部２０２が有するソフトクリップ機能を用いて増幅部２０２の出力する信号のダイナミックレンジを、増幅部２０２が音信号を増幅した後の増幅後音信号の振幅よりも狭める。
このようにすれば、音信号出力回路２は、遊技機において、スピーカが破損する可能性を低減し、かつ、音割れを発生させることができる。
【００２０】
＜第２の実施形態＞
本発明の第２の実施形態による音出力システム１について説明する。
本発明の第２の実施形態による音出力システム１は、図３に示すように、音信号出力回路２と、スピーカ３と、画像信号出力部４と、を備える。
音信号出力回路２は、音制御装置１０と、増幅器２０と、を備える。
【００２１】
音制御装置１０は、制御部１０１と、音信号出力部１０２と、を備える。
制御部１０１は、ソフトクリップ機能を有効にするか否かを指示するソフトクリップ指示信号をソフトクリップ機能部２０１に出力する。
また、制御部１０１は、音信号出力部１０２が増幅部２０２に音信号を出力するタイミングを、画像信号出力部４（例えば、Ｖｉｄｅｏ  Ｄｉｓｐｌａｙ  Ｐｒｏｃｅｓｓｏｒ）が図示していない表示部に画像信号を出力する遊技機における演出のタイミングに同期させる。具体的には、制御部１０１は、例えば、表示部が表示する爆発のタイミングに合った音割れがスピーカ３から出力されるように、音信号出力部１０２が増幅部２０２に音信号を出力するタイミングを制御する。
【００２２】
なお、本発明の第２の実施形態による増幅部２０２の増幅及びダイナミックレンジについては、本発明の第１の実施形態による増幅部２０２の増幅及びダイナミックレンジと同様である。
【００２３】
以上、本発明の第２の実施形態による音出力システム１について説明した。
本発明の第２の実施形態による音出力システム１における音信号出力回路２は、遊技機が備える音信号出力回路である。音信号出力回路２は、音信号出力部１０２と、増幅部２０２と、制御部１０１と、を備える。音信号出力部１０２は、増幅部２０２に音信号を出力する。増幅部２０２は、音信号を増幅する。制御部１０１は、増幅部２０２の出力する信号のダイナミックレンジを、増幅部２０２が音信号を増幅した後の増幅後音信号の振幅よりも狭める。例えば、制御部１０１は、増幅部２０２が有するソフトクリップ機能を用いて増幅部２０２の出力する信号のダイナミックレンジを、増幅部２０２が音信号を増幅した後の増幅後音信号の振幅よりも狭める。
このようにすれば、音信号出力回路２は、遊技機において、スピーカが破損する可能性を低減し、かつ、音割れを発生させることができる。
【００２４】
また、本発明の第２の実施形態による音出力システム１における音信号出力回路２において、制御部１０１は、音信号出力部１０２が増幅部２０２に音信号を出力するタイミングを、画像信号出力部４が表示部に画像信号を出力するタイミングに同期させる。具体的には、例えば、制御部１０１は、表示部が表示する爆発のタイミングに合った音割れがスピーカ３から出力されるように、音信号出力部１０２が増幅部２０２に音信号を出力するタイミングを制御する。
このようにすれば、音信号出力回路２は、遊技機において、画像と音とが同期した違和感のない演出を行うことができる。
【００２５】
＜第３の実施形態＞
本発明の第３の実施形態による音出力システム１は、図４に示すように、音信号出力回路２と、スピーカ３と、を備える。
音信号出力回路２は、音制御装置１０と、増幅器２０と、を備える。
【００２６】
音制御装置１０は、制御部１０１と、音信号出力部１０２と、を備える。
制御部１０１は、出力電圧を指示する出力電圧指示信号を後述する電源部２０３に出力する。制御部１０１が出力する出力電圧指示信号が示す出力電圧の範囲は、後述する増幅部２０２が動作可能な電源電圧の範囲である動作電源電圧の上限値と下限値の間の範囲である。
【００２７】
増幅器２０は、増幅部２０２と、電源部２０３と、を備える。
電源部２０３は、制御部１０１から受ける出力電圧指示信号に応じた動作電源電圧を増幅部２０２に供給する。
具体的には、電源部２０３は、制御部１０１から出力電圧範囲において高い電圧を示す出力電圧指示信号を受けた場合、その出力電圧指示信号に応じて高い動作電源電圧を増幅部２０２に供給する。また、電源部２０３は、制御部１０１から出力電圧範囲において低い電圧を示す出力電圧指示信号を受けた場合、その出力電圧指示信号に応じて低い動作電源電圧を増幅部２０２に供給する。
【００２８】
増幅部２０２は、電源部２０３から供給される電源電圧に応じたバイアスで動作する。回路設計にも依存するが、トランジスタ増幅回路の多くは、動作電源電圧の変化と連動してダイナミックレンジが変動する。具体的には、動作電源電圧の上限値で動作させた場合のトランジスタ増幅回路のダイナミックレンジは、動作電源電圧の下限値で動作させた場合のトランジスタ増幅回路のダイナミックレンジよりも広くなる場合が多い。増幅部２０２は、このようなトランジスタ増幅回路と同様に、動作電源電圧が上限値から徐々に低くなるにつれて、ダイナミックレンジが狭くなるように設計された増幅部である。
したがって、増幅部２０２のダイナミックレンジは、制御部１０１が高い電圧を示す出力電圧指示信号を電源部２０３に出力する場合に広くなる。このとき、増幅部２０２は、例えば、図２の（ａ）の部分に示したような、正弦波の信号をスピーカ３に出力する。また、増幅部２０２のダイナミックレンジは、制御部１０１が低い電圧を示す出力電圧指示信号を電源部２０３に出力する場合に狭くなる。このとき、増幅部２０２は、例えば、図２の（ｂ）の部分に示したような正弦波の上下がクリップした波形の信号をスピーカ３に出力する。
【００２９】
スピーカ３は、増幅部２０２から音信号を受ける。スピーカ３は、受けた音信号に応じた音を出力する。具体的には、スピーカ３は、制御部１０１が高い電圧を示す出力電圧指示信号を電源部２０３に出力する場合に、通常の音を出力し、制御部１０１が低い電圧を示す出力電圧指示信号を電源部２０３に出力する場合、音割れの発生した音を出力する。
【００３０】
以上、本発明の第３の実施形態による音出力システム１について説明した。
本発明の第３の実施形態による音出力システム１における音信号出力回路２は、遊技機が備える音信号出力回路である。音信号出力回路２は、音信号出力部１０２と、増幅部２０２と、制御部１０１と、を備える。音信号出力部１０２は、増幅部２０２に音信号を出力する。増幅部２０２は、音信号を増幅する。制御部１０１は、増幅部２０２の出力する信号のダイナミックレンジを、増幅部２０２が音信号を増幅した後の増幅後音信号の振幅よりも狭める。例えば、制御部１０１は、増幅部２０２が有する動作電源電圧とダイナミックレンジとが連動して変化する性質を用いて増幅部２０２の出力する信号のダイナミックレンジを、増幅部２０２が音信号を増幅した後の増幅後音信号の振幅よりも狭める。
このようにすれば、音信号出力回路２は、遊技機において、スピーカが破損する可能性を低減し、かつ、音割れを発生させることができる。
【００３１】
＜第４の実施形態＞
本発明の第４の実施形態による音出力システム１は、図５に示すように、音信号出力回路２と、スピーカ３と、画像信号出力部４と、を備える。
音信号出力回路２は、音制御装置１０と、増幅器２０と、を備える。
【００３２】
音制御装置１０は、制御部１０１と、音信号出力部１０２と、を備える。
制御部１０１は、出力電圧を指示する出力電圧指示信号を後述する電源部２０３に出力する。制御部１０１が出力する出力電圧指示信号が示す出力電圧の範囲は、後述する増幅部２０２が動作可能な電源電圧の範囲である動作電源電圧の上限値と下限値の間の範囲である。
また、制御部１０１は、音信号出力部１０２が増幅部２０２に音信号を出力するタイミングを、画像信号出力部４が図示していない表示部に画像信号を出力する遊技機における演出のタイミングに同期させる。具体的には、制御部１０１は、例えば、表示部が表示する爆発のタイミングに合った音割れがスピーカ３から出力されるように、音信号出力部１０２が増幅部２０２に音信号を出力するタイミングを制御する。
【００３３】
なお、本発明の第４の実施形態による増幅部２０２の増幅及びダイナミックレンジについては、本発明の第３の実施形態による増幅部２０２の増幅及びダイナミックレンジと同様である。
【００３４】
以上、本発明の第４の実施形態による音出力システム１について説明した。
本発明の第４の実施形態による音出力システム１における音信号出力回路２は、遊技機が備える音信号出力回路である。音信号出力回路２は、音信号出力部１０２と、増幅部２０２と、制御部１０１と、を備える。音信号出力部１０２は、増幅部２０２に音信号を出力する。増幅部２０２は、音信号を増幅する。制御部１０１は、増幅部２０２の出力する信号のダイナミックレンジを、増幅部２０２が音信号を増幅した後の増幅後音信号の振幅よりも狭める。例えば、制御部１０１は、増幅部２０２が有する動作電源電圧とダイナミックレンジとが連動して変化する性質を用いて増幅部２０２の出力する信号のダイナミックレンジを、増幅部２０２が音信号を増幅した後の増幅後音信号の振幅よりも狭める。
このようにすれば、音信号出力回路２は、遊技機において、スピーカが破損する可能性を低減し、かつ、音割れを発生させることができる。
【００３５】
また、本発明の第４の実施形態による音出力システム１における音信号出力回路２において、制御部１０１は、音信号出力部１０２が増幅部２０２に音信号を出力するタイミングを、画像信号出力部４が表示部に画像信号を出力するタイミングに同期させる。具体的には、例えば、制御部１０１は、表示部が表示する爆発のタイミングに合った音割れがスピーカ３から出力されるように、音信号出力部１０２が増幅部２０２に音信号を出力するタイミングを制御する。
このようにすれば、音信号出力回路２は、遊技機において、画像と音とが同期した違和感のない演出を行うことができる。
【００３６】
本発明の実施形態による最小構成の音信号出力回路２について説明する。
本発明の実施形態による最小構成の音信号出力回路２は、図６に示すように、音信号出力部１０２と、増幅部２０２と、制御部１０１と、を備える。
音信号出力部１０２は、音信号を出力する。
増幅部２０２は、音信号を増幅する。
制御部１０１は、増幅部２０２の出力する信号のダイナミックレンジを、増幅部２０２が音信号を増幅した後の増幅後音信号の振幅よりも狭める。例えば、制御部１０１は、増幅部２０２が有するソフトクリップ機能を用いて増幅部２０２の出力する信号のダイナミックレンジを、増幅部２０２が音信号を増幅した後の増幅後音信号の振幅よりも狭める。
このようにすれば、音信号出力回路２は、遊技機において、スピーカが破損する可能性を低減し、かつ、音割れを発生させることができる。
【００３７】
なお、本発明の各実施形態において、増幅部２０２は、ダイナミックレンジを狭めた後に、増幅率を上げて音信号の振幅を大きくして、確実に音割れを発生させるものであってもよい。
【００３８】
なお、本発明の実施形態における処理フローは、適切な処理が行われる範囲において、処理の順番が入れ替わってもよい。
【００３９】
本発明の実施形態における記憶部９０６、９０８のそれぞれは、適切な情報の送受信が行われる範囲においてどこに備えられていてもよい。また、記憶部９０６、９０８のそれぞれは、適切な情報の送受信が行われる範囲において複数存在しデータを分散して記憶していてもよい。
【００４０】
本発明の実施形態について説明したが、上述の音出力システム１、音信号出力回路２、その他の制御装置のそれぞれは内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータがそのプログラムを実行するようにしてもよい。
【００４１】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【００４２】
図７は、少なくとも１つの実施形態に係るコンピュータの構成を示す概略ブロック図である。
コンピュータ５は、図７に示すように、ＣＰＵ６、メインメモリ７、ストレージ８、インターフェース９を備える。
例えば、上述の音出力システム１、音信号出力回路２、その他の制御装置のそれぞれは、コンピュータ５に実装される。そして、上述した各処理部の動作は、プログラムの形式でストレージ８に記憶されている。ＣＰＵ６は、プログラムをストレージ８から読み出してメインメモリ７に展開し、当該プログラムに従って上記処理を実行する。また、ＣＰＵ６は、プログラムに従って、上述した各記憶部に対応する記憶領域をメインメモリ７に確保する。
【００４３】
ストレージ８の例としては、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、磁気ディスク、光磁気ディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）、半導体メモリ等が挙げられる。ストレージ８は、コンピュータ５のバスに直接接続された内部メディアであってもよいし、インターフェース９または通信回線を介してコンピュータ５に接続される外部メディアであってもよい。また、このプログラムが通信回線によってコンピュータ５に配信される場合、配信を受けたコンピュータ５が当該プログラムをメインメモリ７に展開し、上記処理を実行してもよい。少なくとも１つの実施形態において、ストレージ８は、一時的でない有形の記憶媒体である。
【００４４】
本発明のいくつかの実施形態を説明したが、これらの実施形態は、例であり、発明の範囲を限定しない。これらの実施形態は、発明の要旨を逸脱しない範囲で、追加、種々の省略、置き換え、変更を行ってよい。
【符号の説明】
【００４５】
１・・・音出力システム
２・・・音信号出力回路
３・・・スピーカ
４・・・画像信号出力部
５・・・コンピュータ
６・・・ＣＰＵ
７・・・メインメモリ
８・・・ストレージ
９・・・インターフェース
１０・・・音制御装置
２０・・・増幅器
１０１・・・制御部
１０２・・・音信号出力部
２０１・・・ソフトクリップ機能部
２０２・・・増幅部
２０３・・・電源部
【図１】
2018143632.tif 000003
【図２】
2018143632.tif 000004
【図３】
2018143632.tif 000005
【図４】
2018143632.tif 000006
【図５】
2018143632.tif 000007
【図６】
2018143632.tif 000008
【図７】
2018143632.tif 000009